(57)【要約】【課題】有効期限が経過したＩＣカードを、新しいＩＣカードに交換し忘れてしまうことを抑制できる車載器を提供する。【解決手段】車載器１は、ＥＴＣカード２が挿入され、ＥＴＣカード２に記憶されている有効期限に関する情報を読み取る情報読み取り部７０と、現在日時が、有効期限に関する情報が示す有効期限月の後半の予め設定された通知基準日以降であるか否かを判断する期限判断部８２と、ＥＴＣカード２の抜き取り時およびＥＴＣカード２が抜かれずに電源オフになる時の少なくとも一方である終了時に、期限判断部８２により、現在日時が通知基準日以降であると判断されていることに基づいて、有効期限と現在日時との関係を示す期限判断通知をスピーカ３０から出力させる通知制御部８３とを備えている。【選択図】図１
2019040526.tif 000002
【特許請求の範囲】
【請求項１】
自動料金収受システム用のＩＣカード（２）が挿入され、前記ＩＣカードに記憶されている有効期限に関する情報を読み取る情報読み取り部（７０）と、
現在日時が、前記有効期限に関する情報が示す有効期限月の後半の予め設定された通知基準日以降であるか否かを判断する期限判断部（８２）と、
前記ＩＣカードの抜き取り時および前記ＩＣカードが抜かれずに電源オフになる時の少なくとも一方である終了時に、前記期限判断部により、現在日時が前記通知基準日以降であると判断されていることに基づいて、有効期限と現在日時との関係を示す期限判断通知を通知部から出力させる通知制御部（８３）とを備えている車載器。
【請求項２】
前記期限判断部は、現在日時が、前記通知基準日よりも前であるか、前記有効期限月であって前記通知基準日以降であるか、前記有効期限月を経過しているかを判断し、
前記通知制御部は、前記期限判断部により、現在日時が前記有効期限月であって前記通知基準日以降であると判断されている場合には、前記期限判断通知として、前記ＩＣカードの有効期限が今月末であることを意味する今月末通知を前記通知部から出力させ、前記期限判断部により、現在日時が前記有効期限月を経過していると判断されている場合には、前記期限判断通知として、前記ＩＣカードの有効期限が経過していることを意味する有効期限切れ通知を前記通知部から通知させる、請求項１に記載の車載器。
【請求項３】
前記期限判断部は、電源オンされ、前記情報読み取り部に前記ＩＣカードが挿入されていることを検出し、前記情報読み取り部が前記有効期限に関する情報を読み取れたときであるカード検出時に、現在日時が、前記通知基準日よりも前であるか、前記有効期限月であって前記通知基準日以降であるか、前記有効期限月を経過しているかを判断し、
前記通知制御部は、前記期限判断部により、現在日時が前記有効期限月であって前記通知基準日以降であると判断されている場合には、前記カード検出時にも、前記今月末通知を前記通知部から出力させ、前記期限判断部により、現在日時が前記有効期限月を経過していると判断されている場合には、前記有効期限切れ通知を前記通知部から出力させる請求項２に記載の車載器。
【請求項４】
前記今月末通知を出力させる機能をオンオフするための操作部（５０）を備え、
前記通知制御部は、前記今月末通知を出力させる機能が前記操作部の操作によりオフにされている場合、前記カード検出時に前記今月末通知を出力させる機能はオフにするが、前記終了時に前記今月末通知を出力させる機能はオンを維持する、請求項３に記載の車載器。
【請求項５】
前記通知制御部は、前記期限判断部により、現在日時が前記有効期限月を経過していると判断されていることに基づいて、前記カード検出時に、前記ＩＣカードの有効期限が経過していることを意味する有効期限切れメッセージを前記通知部から出力させ、次いで、前記ＩＣカードが挿入されている状態が継続していれば、前記ＩＣカードの有効期限が経過していることを意味する音を継続的に前記通知部から出力させ、前記終了時に、前記有効期限切れ通知として前記有効期限切れメッセージを前記通知部から出力させる、請求項３または４に記載の車載器。
【請求項６】
前記通知制御部は、前記期限判断部により、現在日時が前記有効期限月を経過していると判断されていることに基づいて、前記カード検出時に、前記ＩＣカードの有効期限が経過していることを意味する有効期限切れメッセージを前記通知部から出力させ、次いで、前記ＩＣカードが挿入されている状態が継続していれば、前記有効期限切れ通知として、前記ＩＣカードの有効期限が経過していることを意味する音を、継続的に、前記終了時まで前記通知部から出力させる、請求項３または４に記載の車載器。
【請求項７】
前記通知制御部は、電源オフ時に前記ＩＣカードが挿入状態になっていることを警告する抜き忘れ警告を行うが、電源オフになったときに、前記期限判断部により、現在日時が前記通知基準日以降であると判断されている場合、前記抜き忘れ警告に代えて、前記期限判断通知を前記通知部から通知させる、請求項１〜６のいずれか１項に記載の車載器。
【請求項８】
前記通知制御部は、電源オフ時に前記ＩＣカードが挿入状態になっていることを警告する抜き忘れ警告を行い、かつ、前記抜き忘れ警告はオンオフが切り換え可能であって、前記抜き忘れ警告がオフになっている状態でも、電源オフになったときに、前記期限判断部により、現在日時が前記通知基準日以降であると判断されている場合、前記期限判断通知を前記通知部から通知させる、請求項１〜６のいずれか１項に記載の車載器。
【請求項９】
前記期限判断部は、前記終了時に、再度、現在日時が、前記通知基準日よりも前であるか、前記有効期限月であって前記通知基準日以降であるか、前記有効期限月を経過しているかを判断し、
前記通知制御部は、前記期限判断部の最新の判断結果に基づいて、前記終了時に、前記期限判断通知を前記通知部から出力させる請求項３〜６のいずれか１項に記載の車載器。
【請求項１０】
前記期限判断部は、前記カード検出時に、現在日時が、前記通知基準日よりも前、または、前記有効期限月であって前記通知基準日以降であると判断している場合、前記終了時に、再度、現在日時が、前記通知基準日よりも前であるか、前記有効期限月であって前記通知基準日以降であるか、前記有効期限月を経過しているかを判断する一方で、前記カード検出時に、現在日時が、前記有効期限月を経過していると判断している場合には、前記終了時には前記判断を行わないようになっており、
前記通知制御部は、前記期限判断部の最新の判断結果に基づいて、前記終了時に、前記期限判断通知を前記通知部から出力させる請求項３〜６のいずれか１項に記載の車載器。
【請求項１１】
前記通知制御部は、電源オンされ、前記情報読み取り部に前記ＩＣカードが挿入されていることを検出し、前記情報読み取り部が前記有効期限に関する情報を読み取れたときであるカード検出時に、前記有効期限月を通知する機能をオンオフできるようになっており、前記有効期限月を通知する機能がオフになっている状態であっても、前記終了時に、前記期限判断部により、現在日時が前記通知基準日以降であると判断されている場合、前記期限判断通知を前記通知部から出力させる、請求項１または２に記載の車載器。
【発明の詳細な説明】
【技術分野】
【０００１】
ＥＴＣ（登録商標）システムにおいて使用される車載器に関する。
【背景技術】
【０００２】
特許文献１では、ＩＣカードの有効期限を、ＥＴＣ（Electronic Toll Collection、自動料金収受）路側機との通信を行うよりも前のタイミングになるように設定された所定の報知タイミングで報知する。所定の報知タイミングとしては、カードが抜かれたことが検知されたとき、イグニッションスイッチオフ操作など、エンジン停止につながる操作がなされたことを検知したときなどが例示されている。この所定の報知タイミングであることが検知された場合、ＩＣカードから有効期限月を読み出して、その有効期限月を報知する。
【先行技術文献】
【特許文献】
【０００３】
【特許文献１】特開２００６−２８５６０６号公報
【発明の概要】
【発明が解決しようとする課題】
【０００４】
有効期限月の２０日頃になると新しいＩＣカードが自宅などに届いているはずである。新しいＩＣカードが届いた後は、古いＩＣカードの有効期限が経過する前に、車載器に挿入するカードを、新しいＩＣカードに交換することが望まれる。
【０００５】
しかし、上記所定のタイミングで有効期限月が通知されても、新しいＩＣカードに交換するとき以外は、運転者は特に何かをする必要があるわけではないので、次第に有効期限月の通知に慣れてしまう。
【０００６】
そのため、新しいＩＣカードが自宅に届いた後も、有効期限月が通知されたときに、運転者は、新しいＩＣカードに交換する必要性を認識しない恐れもある。その結果、有効期限が経過する前に新しいＩＣカードに交換し忘れてしまう恐れがあった。
【０００７】
本開示は、この事情に基づいて成されたものであり、その目的とするところは、有効期限が経過したＩＣカードを、新しいＩＣカードに交換し忘れてしまうことを抑制できる車載器を提供することにある。
【課題を解決するための手段】
【０００８】
上記目的は独立請求項に記載の特徴の組み合わせにより達成され、また、下位請求項は更なる有利な具体例を規定する。特許請求の範囲に記載した括弧内の符号は、一つの態様として後述する実施形態に記載の具体的手段との対応関係を示すものであって、開示した技術的範囲を限定するものではない。
【０００９】
上記目的を達成するための１つの開示は、
自動料金収受システム用のＩＣカード（２）が挿入され、ＩＣカードに記憶されている有効期限に関する情報を読み取る情報読み取り部（７０）と、
現在日時が、有効期限に関する情報が示す有効期限月の後半の予め設定された通知基準日以降であるか否かを判断する期限判断部（８２）と、
ＩＣカードの抜き取り時およびＩＣカードが抜かれずに電源オフになる時の少なくとも一方である終了時に、期限判断部により、現在日時が通知基準日以降であると判断されていることに基づいて、有効期限と現在日時との関係を示す期限判断通知を通知部から出力させる通知制御部（８３）とを備えている車載器である。
【００１０】
この車載器は、期限判断通知を通知部から出力させる。期限判断通知は、有効期限と現在日時の関係を示すものであるので、有効期限月が通知されるよりも、近いうちに有効期限が経過してしまうことや、有効期限が経過してしまっていることを認識しやすい。よって、有効期限が経過したＩＣカードを、新しいＩＣカードに交換し忘れてしまうことを抑制できる。
【００１１】
さらに、期限判断通知を通知部から出力させる時期は、有効期限月の後半の予め設定された通知基準日以降である。この通知基準日以降であれば、通常、新しいＩＣカードが届いている。加えて、期限判断通知を通知部から出力させるタイミングは、ＩＣカードの抜き取り時およびＩＣカードが抜かれずに電源オフになる時の少なくとも一方である。このタイミングは、車両の乗員が車両を降車するタイミングである場合が多い。車両の降車場所が自宅であれば、通知を聞いた者は、ＩＣカードの交換をしなくてはいけないという記憶のあるうちに、実際に、新しいＩＣカードに交換することができる。この点でも、有効期限が経過したＩＣカードを、新しいＩＣカードに交換し忘れてしまうことを抑制できる。
【図面の簡単な説明】
【００１２】
【図１】車載器１の電気的構成を示すブロック図である。
【図２】制御部８０が実行するＥＴＣカード２の有効期限通知に関する処理を示すフローチャートである。
【図３】図２のＳ２、Ｓ４、Ｓ６で実行する処理を説明する図である。
【発明を実施するための形態】
【００１３】
＜実施形態＞
以下、実施形態を図面に基づいて説明する。図１に、実施形態の車載器１の構成を示している。車載器１は、車両内に固定される。固定位置は、予め車載器１のために用意された収納部である。また、ダッシュボード上面など、取付作業者が車両内の任意の位置に車載器１を固定してもよい。
【００１４】
車載器１は、ＥＴＣカード２から料金決済に必要な情報を読み取る。そして、読み取った情報も含め、料金収受に必要な情報を、ＥＴＣゲートなどに設けられた路上機との間で送受信する。
【００１５】
ＥＴＣカード２はＩＣカードであり、内蔵しているＩＣに、料金決済に必要な情報が記録されている。料金決済に必要な情報は、カード番号、有効期限に関する情報などである。有効期限に関する情報は、具体的には、ＥＴＣカード２の有効期限月である。
【００１６】
［車載器１の電気的構成］
図１に示すように、車載器１は、電源部１０、路車間通信部２０、スピーカ３０、表示部４０、操作部５０、ＧＰＳ受信部６０、情報読み取り部７０、制御部８０を備えている。
【００１７】
電源部１０は、車載バッテリ３と接続されている。電源部１０は、車両のキースイッチがオンになると、車載器１の電源をオンにする。電源オンの状態では、電源部１０は、車載バッテリ３から供給される電力を、車載器１が備える、電気で作動する種々の要素に供給する。そして、電源部１０は、車両のキースイッチがオフになると、車載器１の電源をオフにする。
【００１８】
路車間通信部２０は、アンテナ２１を備えている。路車間通信部２０は、このアンテナ２１を介して、ＥＴＣゲートなどに設けられた路上機との間で路車間通信を行って、料金収受のために必要な情報を送受信する。それ以外にも、路車間通信部２０は、道路の種々の地点に設置された路側無線装置との間で通信を行って、交通情報を受信することもできる。
【００１９】
スピーカ３０は、通知部であり、種々の音声メッセージ、および、音声以外の音を出力する。メッセージを例示すると、たとえば、ＥＴＣカード２が挿入されたこと、カード有効期限月などがある。
【００２０】
表示部４０は、１つまたは数個程度（たとえば２個）のＬＥＤを備える構成であり、車載器１の状態を、ＬＥＤの点灯、消灯、点滅により示す。
【００２１】
操作部５０は、数個程度（たとえば３個）のスイッチを備えている。たとえば、音量スイッチ、利用履歴確認スイッチ、カードイジェクトスイッチの３つのスイッチを備える。
【００２２】
ＧＰＳ受信部６０は、衛星航法システムの一つであるＧＰＳ（Global Positioning System）が備える航法衛星が送信する航法信号を受信し、受信した航法信号に基づいて現在位置を逐次算出する。そして、算出した現在位置を制御部８０に出力する。また、航法信号に含まれている現在日時も制御部８０に出力する。
【００２３】
情報読み取り部７０は、ＥＴＣカード２が挿入される部分であり、ＥＴＣカード２が挿入されているか否かを検出する。そして、ＥＴＣカード２が挿入されていることを検出した場合、挿入されているＥＴＣカード２から、料金決済に必要な情報を読み取る。料金決済に必用な情報には、前述したように、ＥＴＣカード２の有効期限月がある。情報読み取り部７０は、ＥＴＣカード２が挿入されているか否かの検出結果、および、ＥＴＣカード２から読み取った情報を制御部８０に出力する。
【００２４】
制御部８０は、ＣＰＵ、ＲＯＭ、ＲＡＭ等を備えたコンピュータである。ＣＰＵが、ＲＡＭの一時記憶機能を利用しつつ、ＲＯＭなどの非遷移的かつ実体的な記録媒体に記憶されているプログラムを実行することで、制御部８０は、通信制御部８１、期限判断部８２、通知制御部８３として機能する。これらの機能を実行すると、プログラムに対応する方法が実行されることになる。
【００２５】
［制御部８０が実行する処理］
通信制御部８１は、路車間通信部２０を制御し、路車間通信部２０と路上機あるいは路側無線通信装置とを通信させる。路車間通信部２０とＥＴＣゲートに設置された路上機とが通信する場合、通信制御部８１は、料金収受のために必要な情報を送受信させる。
【００２６】
期限判断部８２は、情報読み取り部７０がＥＴＣカード２から読み取った有効期限月と、ＧＰＳ受信部６０から取得した現在日時とを比較する。そして、現在日時が、有効期限月の後半の予め設定された通知基準日以降であるか否かを判断する。通知基準日は、新しいＥＴＣカード２が届いている可能性が高い日のうちで、早い日に設定される。本実施形態では、通知基準日は２０日に設定されているとする。
【００２７】
通知制御部８３は、情報読み取り部７０から提供される情報に基づいて、ＥＴＣカード２が挿入されていることを検出したこと、ＥＴＣカード２の有効期限月、有効期限月と現在日時との関係を示す期限判断通知など、種々の通知をスピーカ３０から出力させる。
【００２８】
図２は、制御部８０が実行するＥＴＣカード２の有効期限通知に関する処理を示している。図２に示す処理は、車載器１の電源がオンになっている間、周期的に実行する。
【００２９】
ステップ（以下、ステップを省略）Ｓ１では、ＥＴＣカード２が検出されたか否かを判断する。ＥＴＣカード２が検出されたか否かは、情報読み取り部７０からの信号に基づいて判断する。なお、ここでの検出は、正常にＥＴＣカード２が検出できた場合を意味している。したがって、単に、ＥＴＣカード２が挿入されたことを検出しただけではなく、それに加えて、ＥＴＣカード２から情報を読み取ることができたことを意味する。ＥＴＣカード２が挿入されたことを検出したが、ＥＴＣカード２から情報を読み取ることができない異常状態の処理は、本実施形態で説明する範囲ではないので、説明を省略する。Ｓ１の判断がＮＯであればＳ１の判断を繰り返し、ＹＥＳであればＳ２へ進む。
【００３０】
Ｓ２では、カード検出時処理を実行する。図３には、カード検出時処理、およびＳ４で実行するカード抜き取り時処理、Ｓ６で実行するキースイッチオフ時処理を表形式で示している。この図３を用いてＳ２のカード検出時処理を説明する。
【００３１】
カード検出時処理では、図３において、通知条件が「カード検出」になっている部分を実行する。図３に示すように、カード検出時処理は、（Ａ１）ＧＰＳを測位していないとき、（Ａ２）ＧＰＳを測位したとき、（Ａ３）ＧＰＳを測位しているときの３種類に分けられる。ＧＰＳを測位しているとは、ＧＰＳ受信部６０が現在位置を算出できている状態を意味する。現在位置を算出できていない状態では、制御部８０は、ＧＰＳ受信部６０から現在日時も取得できない。
【００３２】
ＧＰＳ受信部６０は、車載器１の電源がオンになった後、即座に現在位置を算出できるのではない。現在位置が算出できるまでに、数秒あるいはそれ以上の時間が必用な場合もある。それに対して、ＥＴＣカード２が情報読み取り部７０に挿入されたままの状態で車載器１の電源がオンになれば、即座にＥＴＣカード２が挿入されていることを検出できる。したがって、ＥＴＣカード２が検出されたがＧＰＳを測位していない、という状態が生じ得る。
【００３３】
ＥＴＣカード２が検出されたがＧＰＳを測位していない場合、現在日時とカード有効期限月との比較をすることができない。しかし、ＥＴＣカード２の有効期限月は取得できている。そこで、ＥＴＣカード２が検出されたが、（Ａ１）ＧＰＳを測位していない場合には、”ポーン”という音の後、「ＥＴＣカードが挿入されました。有効期限は○○○○年○○月です。」というメッセージをスピーカ３０から出力させる。
【００３４】
（Ａ１）の処理の後に、通常、しばらくするとＧＰＳを測位できる。そのとき（Ａ２）ＧＰＳを測位したときの処理を実行する。（Ａ２）の処理は、現在日時と有効期限月との比較結果に基づいて３種類の処理に別れる。現在日時が有効期限月の２０日よりも前であれば、何も処理を実行しない。
【００３５】
一方、現在日時が有効期限月の２０日から有効期限月の末日までの間、または、現在日時が有効期限月を経過していれば、有効期限と現在日時との関係を示す期限判断通知をスピーカ３０から出力させる。
【００３６】
具体的には、現在日時が有効期限月の２０日から有効期限月の末日までの間であれば、”ポーン”という音の後、「ＥＴＣカードの有効期限は今月末です。」という今月末メッセージをスピーカ３０から出力させる。このメッセージは、期限判断通知であり、特に、今月末通知に相当する。現在日時が有効期限月を経過していれば、”ピッピッ”という音の後、「ＥＴＣカードの有効期限は切れています。」という有効期限切れメッセージをスピーカ３０から出力させる。有効期限切れメッセージは、期限判断通知であり、特に、有効期限切れ通知に相当する。
【００３７】
さらに、有効期限切れメッセージをスピーカ３０から出力させた後、ＥＴＣカード２が抜き取られるか、車両のキースイッチがオフになることで車載器１の電源がオフになるまで、”ピッピッ”という音を継続的にスピーカ３０から出力させる。この”ピッピッ”という音は、有効期限切れメッセージに続いて出力されることで、有効期限が経過していることを意味する音として機能する。
【００３８】
ＥＴＣカード２が検出されたときに、（Ａ３）ＧＰＳを測位している場合の処理も、現在日時と有効期限月との比較結果に基づいて３種類の処理に別れる。現在日時が有効期限月の２０日よりも前であれば、（Ａ１）と同じ音およびメッセージをスピーカ３０から出力させる。（Ａ３）の処理を実行する場合、（Ａ１）の処理を実行していないので、ＥＴＣカード２を検出したことを乗員に通知するために、（Ａ１）と同じ音およびメッセージをスピーカ３０から出力させるのである。
【００３９】
現在日時が有効期限月の２０日から有効期限月の末日までの間、および、現在日時が有効期限月を経過している場合には（Ａ２）と同じ音およびメッセージをスピーカ３０から出力させる。この場合、（Ａ１）の場合に通知されたメッセージは省略されることになる。
【００４０】
Ｓ２を実行した場合、Ｓ３以降を実行する。Ｓ３以降は、車載器１が、カード挿入状態での作動を終了するときの処理である。カード挿入状態の作動を終了する場合としては、ＥＴＣカード２が抜き取られるときと、ＥＴＣカード２が挿入されたまま車載器１の電源がオフになる場合の２つに分けられる。
【００４１】
そこで、Ｓ３では、ＥＴＣカード２が抜き取られたか否かを判断する。情報読み取り部７０に挿入されたＥＴＣカード２は、操作部５０のイジェクトスイッチを操作することで、抜き取ることができる。Ｓ３の判断がＹＥＳであればＳ４へ進む。
【００４２】
Ｓ４ではカード抜き取り時処理を実行する。このカード抜き取り時処理も図３を用いて説明する。カード抜き取り時処理では、図３において、通知条件が「カード抜き取り」になっている部分を実行する。図３に示すように、カード抜き取り時処理は、（Ｂ１）ＧＰＳを測位していないとき、（Ｂ２）ＧＰＳを測位しているときの２種類に分けられる。（Ｂ１）の場合、何の音およびメッセージもスピーカ３０から出力しない。
【００４３】
（Ｂ２）の処理は、現在日時と有効期限月との関係を判断した最新の判断結果に基づいて３種類の処理に別れる。現在日時と有効期限月との関係の判断は、具体的には、現在日時が、通知基準日よりも前であるか、有効期限月であって２０日から月末までの間であるか、有効期限月を経過しているかを判断するものである。
【００４４】
カード検出時に、現在日時が有効期限月を経過していると判断していれば、改めて現在日時を取得して、再判断は行わず、カード検出時の判断結果をそのまま最新の判断結果とする。再判断を行わなくても、現在日時が有効期限月を経過しているからである。
【００４５】
一方、カード検出時に、現在日時が、通知基準日よりも前であるか、有効期限月であって２０日から月末までの間であると判断している場合には、改めて現在日時を取得して、再判断を行う。カード検出時からの時間経過により、カード検出時とは異なった判断結果になる可能性もあるからである。この再判断を行うことで、誤った情報を通知してしまうことを防止できる。
【００４６】
現在日時が有効期限月の２０日よりも前であれば、何も処理を実行しない。現在日時が有効期限月の２０日から有効期限月の末日までの間であれば、（Ａ２）、（Ａ３）と同じ音およびメッセージをスピーカ３０から出力させる。現在日時が有効期限月を経過していれば、カード検出時に出力したものと同じ有効期限切れメッセージ「ＥＴＣカードの有効期限は切れています。」をスピーカ３０から出力させる。
【００４７】
Ｓ３の判断がＮＯであればＳ５へ進む。Ｓ５では、キースイッチがオフになったか否かを判断する。この判断がＮＯであればＳ３へ戻る。一方、Ｓ５の判断がＹＥＳであればＳ６へ進む。
【００４８】
Ｓ６ではキースイッチオフ時処理を実行する。なお、Ｓ３の判断がＹＥＳ、すなわちＥＴＣカード２が抜き取られている状態でキースイッチがオフになった場合には、何も通知しない。
【００４９】
キースイッチオフ時処理も図３を用いて説明する。キースイッチオフ時処理では、図３において、通知条件が「車両キースイッチオフ」になっている部分を実行する。
【００５０】
図３に示すように、キースイッチオフ時処理は、（Ｃ１）ＧＰＳを測位していないとき、（Ｃ２）ＧＰＳを測位しているときの２種類に分けられる。加えて、（Ｃ１）、（Ｃ２）は、さらに、カード抜き忘れ警告オン、カード抜き忘れ警告オフ、カード未挿入に分けられる。ただし、（Ｃ１）の場合、カード抜き忘れ警告オンの場合のみ通知を行い、カード抜き忘れ警告オフおよびカード未挿入の場合には、何も通知をしない。（Ｃ１）において、カード抜き忘れ警告がオンの場合には、”ピーッ”という音の後、「カードが残っています。」というメッセージをスピーカ３０から出力させる。
【００５１】
なお、カード抜き忘れ警告とは、車両キースイッチがオフになったときに、車載器１にＥＴＣカード２が挿入状態になっている場合に、その旨を通知する処理である。カード抜き忘れ警告は、ユーザが操作部５０を操作することで、オンオフを切り替えることができる。
【００５２】
（Ｃ２）の場合であって、カード抜き忘れ警告がオンの場合およびカード抜き忘れ警告がオフの場合の処理は、現在日時と有効期限月との関係を判断した最新の判断結果に基づいて３種類の処理に別れる。なお、カード検出時に、現在日時が有効期限月を経過していると判断していれば、現在日時と有効期限月との関係の再判断は行わない。一方、カード検出時に、現在日時が、通知基準日よりも前であるか、有効期限月であって２０日から月末までの間であると判断している場合には、改めて現在日時を取得して、再判断を行う。この点は、（Ｂ２）の場合の処理と同じである。
【００５３】
（Ｃ２）の場合であって、カード抜き忘れ警告がオンの場合の３種類の処理を説明する。現在日時が有効期限月の２０日よりも前であれば、（Ｃ１）の場合と同じ音およびメッセージをスピーカ３０から出力させる。現在日時が有効期限月の２０日から有効期限月の末日までの間であれば、（Ａ２）、（Ａ３）、（Ｂ２）の場合と同じ音およびメッセージをスピーカ３０から出力させる。現在日時が有効期限月を経過していれば、（Ｂ２）の場合と同じ音およびメッセージをスピーカ３０から出力させる。よって、（Ｃ２）の場合であって、現在日時が有効期限月の２０日から有効期限月の末日までの間、および、現在日時が有効期限月を経過している場合には、カード抜き忘れ警告がオンであっても、ＥＴＣカード２が残っていることを直接は通知しない。その代わりに、有効期限が今月末である、あるいは、有効期限が切れていることを通知することになる。
【００５４】
今月末メッセージあるいは有効期限切れメッセージが通知されれば、ＥＴＣカード２が残っていることを直接は通知しなくても、乗員は、ＥＴＣカード２が残っていることを認識できる場合が多いと考えられる。そのため、カードが残っていることを、直接は通知しないのである。これにより、今月末メッセージあるいは有効期限切れメッセージに加えて、カードが残っていることが通知されて、乗員に煩わしさを与えることを抑制でき、かつ、乗員に、今月末メッセージあるいは有効期限切れメッセージを、より認識させることができる。
【００５５】
次に、（Ｃ２）の場合であって、カード抜き忘れ警告がオフの場合の処理を説明する。現在日時が有効期限月の２０日よりも前であれば、何も通知しない。現在日時が有効期限月の２０日から有効期限月の末日までの間、および、現在日時が有効期限月を経過している場合の処理はそれぞれ、カード抜き忘れ警告がオンの場合と同様である。よって、（Ｃ２）の場合、カード抜き忘れ警告がオフであっても、今月末メッセージ、あるいは、有効期限切れメッセージは通知することになる。
【００５６】
キースイッチオフの都度、ＥＴＣカード２が残っていることが通知されると、煩わしく感じるユーザも多いため、カード抜き忘れ警告をオフにしているユーザも多い。しかし、本実施形態では、カード抜き忘れ警告がオフになっていても、今月末メッセージあるいは有効期限切れメッセージを通知する。これにより、カード抜き忘れ警告をオフにしたことにより、ＥＴＣカード２を交換し忘れてしまうことを抑制できる。加えて、新しいＥＴＣカード２に交換すれば、今月末メッセージおよび有効期限切れメッセージは通知されない。よって、メッセージが何度も通知されて、乗員に煩わしさを与えてしまう恐れも少ない。
【００５７】
（Ｃ２）の場合であって、カード未挿入の場合には、何も通知をしない。以上、説明した処理において、Ｓ１、Ｓ３、Ｓ５の各処理は期限判断部８２が実行する。また、Ｓ２、Ｓ４，Ｓ６の処理を実行する際、現在日時と有効期限月との比較も期限判断部８２が実行する。Ｓ２、Ｓ４，Ｓ６の処理において、残りの処理は通知制御部８３が実行する。
【００５８】
［実施形態のまとめ］
本実施形態の車載器１は、期限判断通知をスピーカ３０から出力する。期限判断通知は、具体的には、今月末メッセージあるいは有効期限切れメッセージであり、これらのメッセージは、有効期限月を通知するよりも、近いうちに有効期限が経過してしまうことや、有効期限が経過してしまっていることを認識しやすい。
【００５９】
また、期限判断通知を通知する時期は現在日時が有効期限月の２０日以降である。有効期限月の２０日以降であれば、通常、新しいＥＴＣカード２が届いている。加えて、期限判断通知をスピーカ３０から出力するタイミングは、ＥＴＣカード２の抜き取り時およびＥＴＣカード２が抜かれずに車載器１が電源オフになる時である。これらタイミングは、車両の乗員が車両を降車するタイミングである場合が多い。そして、車両の降車が自宅であれば、通知を聞いた者は、ＥＴＣカード２の交換をしなくてはいけないという記憶のあるうちに、実際に、新しいＥＴＣカード２に交換することができる。これらのことから、本実施形態の車載器１は、有効期限が経過したＥＴＣカード２を、新しいＥＴＣカード２に交換し忘れてしまうことを抑制できる。
【００６０】
以上、実施形態を説明したが、開示した技術は上述の実施形態に限定されるものではなく、次の変形例も開示した範囲に含まれ、さらに、下記以外にも要旨を逸脱しない範囲内で種々変更して実施できる。なお、以下の説明において、それまでに使用した符号と同一番号の符号を有する要素は、特に言及する場合を除き、それ以前の実施形態における同一符号の要素と同一である。また、構成の一部のみを説明している場合、構成の他の部分については先に説明した実施形態を適用できる。
【００６１】
＜変形例１＞
前述の実施形態では、有効期限切れメッセージを出力した後、ＥＴＣカード２が抜き取られるか、電源がオフになるまで、”ピッピッ”という音を継続的に出力していた。しかし、”ピッピッ”という音を継続的に出力するだけでは、音の意味を忘れてしまう可能性もある。そこで、この音を周期的に中断して、周期的に、有効期限切れメッセージを出力するようにしてもよい。
【００６２】
＜変形例２＞
前述の実施形態では、ＥＴＣカード２の有効期限が切れている場合、カード検出時に有効期限切れメッセージを出力し、その後、”ピッピッ”という音を継続的に出力している。そして、カード抜き取り時およびキースイッチオフ時には、再度、有効期限切れメッセージを出力していた。しかし、再度の有効期限切れメッセージを省略してもよい。この場合には、カード抜き取り時およびキースイッチオフ時まで継続される”ピッピッ”という音が、有効期限切れ通知に相当する。なお、この変形例２を変形例１と組み合わせてもよい。
【００６３】
＜変形例３＞
今月末通知である今月末メッセージを出力する機能を、ユーザが操作部５０を操作することにより、オンオフできるようにしてもよい。ただし、今月末通知を出力する機能がオフになっていても、カード検出時処理において今月末通知を出力する機能のみをオフにし、カード抜き取り時処理およびキースイッチオフ時処理では、今月末通知を出力する機能をオンに維持することが好ましい。
【００６４】
カード検出時に今月末通知が出力されても、新しいＥＴＣカード２に交換できる場合は多くない一方で、カード抜き取り時および電源オフ時であれば、新しいＥＴＣカード２に交換できる場合が多いと考えられる。したがって、カード検出時処理において今月末通知を出力する機能のみをオフにすることが好ましいのである。
【００６５】
＜変形例４＞
カード検出時処理において、有効期限月を通知するメッセージを出力する機能を、ユーザが操作部５０を操作することにより、オンオフできるようにしてもよい。ただし、有効期限月を通知するメッセージを出力する機能がオフになっていても、カード抜き取り時処理およびキースイッチオフ時処理では、期限判断通知を出力するようにすることが好ましい。
【００６６】
＜変形例５＞
前述の実施形態では、Ｓ２で実行するカード検出時処理において、（Ａ１）ＧＰＳを測位していないときは、ＥＴＣカード２の有効期限月と現在日時とを比較することなく、同じ音およびメッセージを出力していた。現在日時が取得できていないからである。
【００６７】
しかし、前回の起動時に検出していたＥＴＣカード２のカード番号と、前回の電源オフ時に有効期限切れ通知を出力していたことを記憶しておくことにより、次の処理を行ってもよい。
【００６８】
すなわち、今回検出したＥＴＣカード２が前回の起動時に検出していたＥＴＣカード２と同じであり、かつ、前回、有効期限切れメッセージを出力していれば、今回のカード検出時処理において（Ａ１）の処理でも、有効期限切れメッセージを出力してもよい。
【００６９】
＜変形例６＞
前述の実施形態では、ＧＰＳ受信部６０が航法信号から現在日時を取得し、制御部８０はＧＰＳ受信部６０から現在日時を取得していた。これに代えて、車載器１が、車両に搭載されて現在日時を提供できる車載装置、たとえば、ナビゲーション装置と接続されている場合、車載器１は、その車載装置から現在日時を取得してもよい。
【００７０】
＜変形例７＞
また、車載器１が、車両に搭載されている表示装置、たとえば、ナビゲーション装置と接続されている場合、車載器１は、その表示装置を通知部として用い、表示装置から期限判断通知を出力させてもよい。よって、期限判断通知は表示でもよい。なお、このとき、音による期限判断通知を合わせて出力してもよい。
【００７１】
＜変形例８＞
車載器１が備えるスピーカ３０に代えて、車両に備えられたスピーカを用いて期限判断通知を出力してもよい。
【００７２】
＜変形例９＞
前述の実施形態では、通知基準日を２０日としていたが、通知基準日は２０日に限られない。通知基準日は、１９日、２１日など、新しいＥＴＣカード２が届いている可能性が高い日とユーザが判断する日に、任意に設定できる。
【００７３】
＜変形例１０＞
前述の実施形態では、カード検出時に現在日時が有効期限月を経過していると判断していれば、カード抜き取り処理時およびキースイッチオフ時処理では、カード検出時の判断結果をそのまま最新の判断結果としていた。しかし、カード検出時に現在日時が有効期限月を経過していると判断しているか否かによらず、カード抜き取り処理時およびキースイッチオフ時処理において、改めて現在日時を取得して、現在日時と有効期限月との関係を再判断してもよい。
【符号の説明】
【００７４】
１：車載器    ２：ＥＴＣカード    ３：車載バッテリ    １０：電源部    ２０：路車間通信部    ２１：アンテナ    ３０：スピーカ    ４０：表示部    ５０：操作部    ６０：ＧＰＳ受信部    ７０：情報読み取り部    ８０：制御部    ８１：通信制御部    ８２：期限判断部    ８３：通知制御部
【図１】
2019040526.tif 000003
【図２】
2019040526.tif 000004
【図３】
2019040526.tif 000005